(57)【特許請求の範囲】
【請求項１】
被検眼に対して測定光を走査する走査手段と、
前記走査手段の副走査方向における異なる位置の複数の主走査線のうち、前記被検眼に対して前記測定光が時間的に近接して照射される複数の主走査線の開始点の座標の平均が、前記副走査方向における略中心の座標と一致するように、前記走査手段を制御する制御手段と、
を有することを特徴とする眼科装置。
【請求項２】
前記制御手段による前記走査手段の制御中に前記測定光を照射した前記被検眼からの戻り光に基づいて、前記被検眼の画像を取得する画像取得手段を更に有することを特徴とする請求項１に記載の眼科装置。
【請求項３】
前記画像取得手段が、前記制御手段による前記走査手段の制御中に前記測定光を照射した前記被検眼からの戻り光と前記測定光に対応する参照光とを合波した合波光に基づいて、前記被検眼の断層画像を前記画像として取得することを特徴とする請求項２に記載の眼科装置。
【請求項４】
前記制御手段が、前記平均が前記略中心の座標と一致し且つ前記測定光が前記略中心に近づくように、前記走査手段を制御することを特徴とする請求項１乃至３のいずれか１項に記載の眼科装置。
【請求項５】
前記制御手段が、前記平均が前記略中心の座標と一致し且つ前記測定光が前記副走査方向における略中心以外の偶数箇所の領域に近づくように、前記走査手段を制御することを特徴とする請求項１乃至３のいずれか１項に記載の眼科装置。
【請求項６】
前記走査手段は、
前記測定光を主走査方向に走査する第１の走査手段と、
前記第１の走査手段に近接して配置され、前記測定光を副走査方向に走査する第２の走査手段と、を有し、
前記制御手段は、前記平均が前記略中心の座標と一致するように、前記第２の走査手段を制御することを特徴とする請求項１乃至５のいずれか１項に記載の眼科装置。
【請求項７】
前記制御手段は、前記被検眼に対して前記測定光が略３０ｍｓ以内の時間内に照射される複数の主走査線の開始点の座標の平均が、前記副走査方向における略中心の座標と一致するように、前記走査手段を制御することを特徴とする請求項１乃至６のいずれか１項に記載の眼科装置。
【請求項８】
前記平均が前記略中心と一致するように、前記測定光が前記被検眼に照射される前記複数の主走査線の順番を決定する決定手段を更に有し、
前記制御手段が、前記決定された順番で前記測定光を副走査方向に走査するように、前記走査手段を制御することを特徴とする請求項１乃至７のいずれか１項に記載の眼科装置。
【請求項９】
前記制御手段は、
前記走査手段により前記測定光が走査される走査領域を前記副走査方向に沿って略等間隔に偶数個の領域に分割する分割手段を有し、
前記決定手段は、前記分割された領域各々に対して前記複数の主走査線の順番を決定することを特徴とする請求項８に記載の眼科装置。
【請求項１０】
前記制御手段は、前記走査手段を制御して、各走査タイミング毎に、前記分割された領域各々に対して決定された前記開始点からの前記走査を所定時間内に実行させることを特徴とする請求項９に記載の眼科装置。
【請求項１１】
前記分割手段は、
前記走査領域を前記副走査方向に沿って等間隔に２個の領域に分割し、
前記決定手段は、
最初の走査タイミングにおいては、前記略中心から前記副走査方向に沿って最も遠い位置にある走査ラインを前記分割された領域各々における前記開始点としてそれぞれ決定し、それ以降の走査タイミングにおいては、前記領域各々に対して前記副走査方向に沿って互いに近付くように前記開始点を決定することを特徴とする請求項９または１０に記載の眼科装置。  
【請求項１２】
前記分割手段は、
前記走査領域を前記副走査方向に沿って等間隔に４以上の偶数個の領域に分割し、
前記決定手段は、
最初の走査タイミングにおいては、前記分割された全ての領域のうち隣り合う２つの領域間でペアとして関連付け、該ペアとなる領域間の境界から前記副走査方向に沿って最も遠い位置にある走査ラインを該ペアとなる領域各々における前記開始点としてそれぞれ決定し、以降の走査タイミングにおいては、前記ペアとなる領域各々に対して前記領域間の境界に向けて互いに近付くように前記開始点を決定することを特徴とする請求項９または１０に記載の眼科装置。
【請求項１３】
被検眼に対して測定光を走査する走査手段を有する眼科装置の制御方法であって、
前記走査手段の副走査方向における異なる位置の複数の主走査線のうち、前記被検眼に対して前記測定光が時間的に近接して照射される複数の主走査線の開始点の座標の平均が、前記副走査方向における略中心と一致するように、前記走査手段を制御する制御工程
を有することを特徴とする眼科装置の制御方法。
【請求項１４】
前記制御工程における前記走査手段の制御中に前記測定光を照射した前記被検眼からの戻り光に基づいて、前記被検眼の画像を取得する工程を更に有することを特徴とする請求項１３に記載の眼科装置の制御方法。
【請求項１５】
前記画像を取得する工程において、前記制御工程における前記走査手段の制御中に前記測定光を照射した前記被検眼からの戻り光と前記測定光に対応する参照光とを合波した合波光に基づいて、前記被検眼の断層画像を前記画像として取得することを特徴とする請求項１４に記載の眼科装置の制御方法。
【請求項１６】
前記制御工程において、前記平均が前記略中心の座標と一致し且つ前記測定光が前記略中心に近づくように、前記走査手段を制御することを特徴とする請求項１３乃至１５のいずれか１項に記載の眼科装置の制御方法。
【請求項１７】
前記制御工程において、前記平均が前記略中心の座標と一致し且つ前記測定光が前記副走査方向における略中心以外の偶数箇所の領域に近づくように、前記走査手段を制御することを特徴とする請求項１３乃至１５のいずれか１項に記載の眼科装置の制御方法。
【請求項１８】
前記走査手段は、
前記測定光を主走査方向に走査する第１の走査手段と、
前記第１の走査手段に近接して配置され、前記測定光を副走査方向に走査する第２の走査手段と、を有し、
前記制御工程において、前記平均が前記略中心の座標と一致するように、前記第２の走査手段を制御することを特徴とする請求項１３乃至１７のいずれか１項に記載の眼科装置の制御方法。
【請求項１９】
前記制御工程において、前記被検眼に対して前記測定光が略３０ｍｓ以内の時間内に照射される複数の主走査線の開始点の座標の平均が、前記副走査方向における略中心の座標と一致するように、前記走査手段を制御することを特徴とする請求項１３乃至１８のいずれか１項に記載の眼科装置の制御方法。
【請求項２０】
前記平均が前記略中心と一致するように、前記測定光が前記被検眼に照射される前記複数の主走査線の順番を決定する工程を更に有し、
前記制御工程において、前記決定された順番で前記測定光を副走査方向に走査するように、前記走査手段を制御することを特徴とする請求項１３乃至１９のいずれか１項に記載の眼科装置の制御方法。
【請求項２１】
コンピュータに、請求項１３乃至２０のいずれか１項に記載の眼科装置の制御方法の各工程を実行させるためのプログラム。
【発明の詳細な説明】
【技術分野】
【０００１】
本発明は、眼科装置、眼科装置の制御方法およびプログラムに関する。
【背景技術】
【０００２】
光学機器を用いて眼を観察する眼科用機器として、例えば、前眼部撮影機、眼底カメラ、共焦点レーザー走査検眼鏡（Scanning Laser Ophthalmoscope: SLO）、等が知られている。このような機器の中でも、光干渉断層撮像装置（Optical Coherence Tomography：以下、ＯＣＴ装置と呼ぶ）は、試料（例えば、網膜）の断層像を取得できるため、網膜の専門外来では必要不可欠な装置になりつつある。
【０００３】
Ｂスキャン（１次方向への走査（Ｘ／Ｙ方向））をＢスキャン方向（例えば、Ｘ方向）と直交する方向（例えば、Ｙ方向）に複数回行なうことにより、３次元の眼底像を取得する技術が知られている。この場合、眼底の断層像を３次元で取得できるため、病変の広がりや網膜内の各層の観察、特に、緑内障の原因である視神経細胞層の観察などに非常に有効である。
【０００４】
従来、眼底の断層像を３次元で取得する手法としては、特許文献１に記載されるように、起点から終点に向かってＢスキャン画像を順次取得する方法が知られている。この技術では、当該画像の取得中、眼球運動が起きないように固視灯と呼ばれる輝点を視野内に置き、視点が動くことを抑制している。
【先行技術文献】
【特許文献】
【０００５】
【特許文献１】特開２００９−４２１９７号公報
【発明の概要】
【発明が解決しようとする課題】
【０００６】
３次元の眼底像を取得する場合、測定光として使用される低コヒーレント光は、一般に、８５０ｎｍ近辺の赤外光を用いて行なわれる。このような赤外光に対して人間の眼は、感度を示さないが、直接光を眼に入射するため、人間の眼は、当該光を赤い光として捉えてしまう。そのため、Ｂスキャン中、人間の眼には、１本の赤い輝線が見える。
【０００７】
上述した従来の技術では、Ｂスキャン画像を順次取得し、３次元の眼底像を構成するため、人間の眼では、上記輝線が起点から終点に向かい、また、上から下へ移動して行くように見える。この場合、眼球がサッケードと呼ばれる動きをしながら輝線を追いかけてしまう可能性があり、視線（眼球の位置）が変化してしまう恐れがある。
【０００８】
そこで、本発明は、上記課題に鑑みてなされたものであり、被験者の視線を安定させた状態で眼底の断層像を取得できるようにした技術を提供することを目的とする。
【課題を解決するための手段】
【０００９】
上記課題を解決するため、本発明の一態様の眼科装置は、被検眼に対して測定光を走査する走査手段と、
前記走査手段の副走査方向における異なる位置の複数の主走査線のうち、前記被検眼に対して前記測定光が時間的に近接して照射される複数の主走査線の開始点の座標の平均が、前記副走査方向における略中心の座標と一致するように、前記走査手段を制御する制御手段と、
を有することを特徴とする。
【発明の効果】
【００１０】
本発明によれば、被験者の視線を安定させた状態で眼底の断層像を取得できる。
【図面の簡単な説明】
【００１１】
【図１】本発明の一実施の形態に係わる光干渉断層撮像装置（ＯＣＴ装置）の構成の一例を示す図。
【図２】眼底に対して測定光５１を２次元的に走査させる際の処理の概要を示す図（実施形態１）。
【図３】図１に示す光干渉断層撮像装置１０における処理の流れの一例を示すフローチャート。
【図４】眼底に対して測定光５１を２次元的に走査させる際の処理の概要を示す図（実施形態２）。
【発明を実施するための形態】
【００１２】
以下、本発明の一実施の形態について添付図面を参照して詳細に説明する。
【００１３】
（実施形態１）
図１は、本発明の一実施の形態に係わる光干渉断層撮像装置（ＯＣＴ装置）の構成の一例を示す図である。
【００１４】
ＯＣＴ装置１０は、例えば、眼科診療等に用いられる。ＯＣＴ装置１０は、被検眼３０に向けて低コヒーレント光を照射し、その反射光に基づいて眼底（例えば、網膜）の３次元断層像を取得する。ここで、ＯＣＴ装置１０は、光源１１と、ビームスプリッタ１２と、ＸＹスキャナ１３と、レンズ１４と、折り返しミラー１５と、駆動装置１６と、回折格子１７と、レンズ１８と、１次元センサ１９と、断層像生成部２０と、制御部２１とを具備して構成される。
【００１５】
光源１１には、低コヒーレント光源が用いられる。例えば、ＳＬＤ（Super Luminescent Diode）などを用いれば良い。なお、光源１１は、低コヒーレント光を出射できればよく、例えば、ＡＳＥ（Amplified Spontaneous Emission）などであっても良い。光源１１から出射される光は、例えば、波長が８３０ｎｍであり、その帯域幅（バンド幅）は５０ｎｍとなる。本実施形態においては、人間の眼（例えば、網膜）の断層像を取得するため、波長は、近赤外光が適している。なお、波長や帯域幅は、上記例示に限定されず、観察対象の測定部位に応じて適宜すれば良い。
【００１６】
ビームスプリッタ１２は、光源１１から出射された光を測定光５１と参照光５２とに分岐する。
【００１７】
ＸＹスキャナ１３は、ビームスプリッタ１２により分岐された測定光５１を、光軸に直交する面上４０における走査対象となる領域（走査領域）４１に対して２次元的に走査させる。ＸＹスキャナ１３は、一つのミラーとして図示されているが、実際には、Ｘスキャン用ミラーとＹスキャン用ミラーとの２枚のミラーが近接して配置されており、被検眼３０の眼底に対して測定光５１を光軸に直交する面４０にラスタースキャンさせる。なお、ＸＹスキャナ１３のミラーは、当該ミラーの回転の中心と測定光５１の中心とが一致するように調整されている。
【００１８】
ＸＹスキャナ１３は、測定光５１をＹ方向（Ｘ方向と直交する直交方向）へ段階的に傾けながら、測定光５１をＸ方向（所定方向）へＢスキャン（１次方向へ走査）させる。すなわち、ＸＹスキャナ１３は、走査領域４１に対して測定光５１を２次元的に走査させる。これにより、眼底の３次元断層像が得られる。
【００１９】
制御部２１は、ＯＣＴ装置１０における各部の動作を制御する。制御部２１は、例えば、光源１１の制御、ＸＹスキャナ１３の走査制御、断層像生成部２０の制御、駆動装置１６の駆動の制御等を行なう。
【００２０】
ここで、本実施形態に係わるＯＣＴ装置１０の説明を分かり易くするために、眼底の断層像を取得する際の処理の流れについて簡単に説明する。
【００２１】
ＯＣＴ装置１０は、まず、光源１１から光を発する。光源１１から出射された光は、ビームスプリッタ１２に入射される。ビームスプリッタ１２は、当該入射光を参照光５２と測定光５１とに分岐する。ビームスプリッタ１２により分岐された測定光５１は、ＸＹスキャナ１３に入射される。
【００２２】
ＸＹスキャナ１３に入射した測定光５１は、その後、レンズ１４に入射し、当該レンズ１４の作用により被検眼３０の眼底（網膜上）に集光される。測定光５１は、被検眼３０に入射すると、被検眼３０の眼底からの反射や散乱により戻り光５３となり、測定光５１と同じ光路を経て、レンズ１４及びＸＹスキャナ１３を介してビームスプリッタ１２に入射する。
【００２３】
また、測定光５１と同じくビームスプリッタ１２により分岐された参照光５２は、折り返しミラー１５に入射する。折り返しミラー１５は、参照光５２を元の光路に向けて反射する。これにより、反射光（参照光５２）は、同一光路を経て、再度、ビームスプリッタ１２に入射する。なお、折り返しミラー１５は、駆動装置１６により駆動され、光軸方向に沿って移動可能に構成される。これにより、参照光５２の光路長は、測定光５１の光路長とほぼ同じ長さに制御される。なお、駆動装置１６は、例えば、ステッピングモータなどにより、折り返しミラー１５を段階的に移動させる。
【００２４】
ここで、戻り光５３及び参照光５２がビームスプリッタ１２に入射すると、これら光は、ビームスプリッタ１２により合波（干渉光）される。この合波により得られた干渉光５４は、回折格子１７により分光される。なお、回折格子１７による干渉光５４の分光は、光源の中心波長及び帯域幅と同じ波長条件で行なわれる。
【００２５】
回折格子１７により分光された干渉光５４は、レンズ１８に入射する。レンズ１８に入射した光は、当該レンズ１８の結像作用により、１次元センサ１９上に結像される。１次元センサ１９では、各波長に対応した光強度を検出し、電気信号を生成（変換）する。電気信号は、断層像生成部２０に送られる。なお、１次元センサ１９は、ＣＣＤ型であっても良いし、ＣＭＯＳ型であっても良い。
【００２６】
１次元センサ１９からの出力（電気信号）を受けた断層像生成部２０は、各波長を波数に変換した後、フーリエ変換を実施する。これにより、被検眼３０の断層像（眼底の断層像）が取得される。なお、被検眼３０の網膜上における各位置において、参照光５２の光路長と等しい測定光５１の光路長の位置は、コヒーレンスゲートと呼ばれ、断層像生成部２０により生成される断層像では、このコヒーレンスゲートからの距離に対応した像が得られる。
【００２７】
次に、図２を用いて、眼底に対して測定光５１を２次元的に走査させる際の処理の概要について説明する。なお、この処理は、制御部２１が光源１１及びＸＹスキャナ１３を制御することで行なわれる。
【００２８】
図２には、図１に示す走査領域４１が示されている。走査領域４１は、眼底の断層像の取得対象となる２次元平面上の領域を示しており、Ａ１〜Ａｎ及びＢ１〜Ｂｎが走査対象となるライン（走査ライン）となる。また、Ｗ及びＴは、眼底の断層像の取得対象となる領域（走査領域）の幅を示している。この場合、測定光５１によるＸ方向への走査（Ｂスキャン）の幅がＷとなっており、測定光５１によるＹ方向への走査の幅がＬとなっている。
【００２９】
ＯＣＴ装置１０の制御部２１は、眼底に対して測定光５１を走査する前に、まず、Ｙ方向に沿って走査領域４１を２つに分ける。これにより、走査領域４１は、Ｙ方向に沿って等間隔に分割した第１の領域６１と、第２の領域６２とに分けられる。
【００３０】
ここで、測定光５１の１次方向への走査（１次走査）は、第１の領域６１と第２の領域６２とに対して交互に行なわれる。より具体的には、Ａ１−Ａ１’、Ｂ１−Ｂ１’、Ａ２−Ａ２’、Ｂ２−Ｂ２’Ａ３−Ａ３’、Ｂ３−Ｂ３’、Ａ４−Ａ４’、Ｂ４−Ｂ４’・・・、Ａｎ−Ａｎ’、Ｂｎ−Ｂｎ’の順に各走査ラインに対して走査処理が実施される。
【００３１】
この走査処理では、各走査タイミング毎に、第１の領域６１に対する１次走査と、第２の領域６２に対する１次走査とが同時（厳密には所定時間内）に行なわれる。すなわち、各走査タイミング毎に、領域各々に対して１次走査を実施する。このとき、当該２つの走査ライン間のＹ方向に沿った１次走査の開始点の座標の平均が、常に全走査領域４１の中心（以下、領域中心Ｅと呼ぶ）と一致するように走査処理が行なわれる。
【００３２】
また、各走査タイミングに対応して実行される２つの走査ライン分の走査処理は、所定時間内に行なわれる。ここで、所定時間とは、人間の眼が、測定光５１の輝線を残像として捉える時間を指しており、その時間は、例えば、３０ｍ秒程度といわれている。つまり、人間の眼が測定光５１の輝線を残像として捉える時間内に、第１の領域６１に対する１次走査と、第２の領域６２に対する１次走査とを行なう。これにより、被験者は、第１の領域及び第２の領域６２に対する２つの走査ライン分の走査処理が同時に行なわれたと感じる。
【００３３】
また、各走査タイミングにおいて、第１の領域６１に対する１次走査の開始点と、第２の領域６２に対する１次走査の開始点とが徐々に領域中心Ｅに向かうようにして走査処理が行なわれる。これにより、被験者には、２つの走査ラインが中心に向かって移動するように見える。そのため、視線（眼球）の移動を低減させられる。
【００３４】
ここで、図３に示すフローチャートを用いて、図１に示すＯＣＴ装置１０における処理の流れの一例について説明する。ここでは、眼底に対して測定光５１を２次元的に走査させる際の処理の流れの一例について説明する。
【００３５】
この処理が開始すると、ＯＣＴ装置１０の制御部２１は、まず、走査領域４１をＹ方向に沿って等間隔に２つの領域に分割する。すなわち、図２に示す第１の領域６１及び第２の領域６２に分割する（Ｓ１０１）。
【００３６】
領域の分割が済むと、ＯＣＴ装置１０の制御部２１は、Ｙ方向における１次走査の開始点を設定する（Ｓ１０２及びＳ１０３）。より具体的には、第１の領域６１及び第２の領域６１において、中心領域ＥからＹ方向に沿って最も遠い位置にある開始点をそれぞれ選択し、その位置を１次走査の開始位置として設定する。図２の場合、第１の領域６１に対してはＡ１を開始点に設定し、第２の領域６２に対してはＢ１を開始点に設定する。
【００３７】
このようにして領域各々における１次走査の開始点が決まると、ＯＣＴ装置１０の制御部２１は、光源１１及びＸＹスキャナ１３を制御して、当該領域各々に設定した開始点からＸ方向に沿って測定光５１を１次走査させる（Ｓ１０４）。これにより、各領域各々から１走査ライン分の断層像が取得される。すなわち、全走査領域４１からは２走査ライン分の断層像が取得されることになる。上述した通り、各走査タイミングに対応して実行される第１の領域６１に対する１次走査及び第２の領域６２に対する１次走査は、人間の眼が残像として輝線を捉える時間内に行なわれる。図２の場合、Ａ１−Ａ１’ラインの１次走査と、Ｂ１−Ｂ１’ラインの１次走査とが実施される。
【００３８】
ここで、ＯＣＴ装置１０の制御部２１は、全走査領域４１に対する走査処理が終了したか否かを判定する。走査領域４１全域に対する走査処理が終了していれば（Ｓ１０５でＹＥＳ）、この処理を終了する。未走査のラインがあれば（Ｓ１０５でＮＯ）、ＯＣＴ装置１０の制御部２１は、第１の領域６１及び第２の領域６２各々におけるＹ方向に沿った１次走査の開始点の位置を変更する（Ｓ１０６）。具体的には、両領域に対する開始点の位置を領域中心Ｅに向けて１段階移動させる。図２の場合、第１の領域６１においては、Ａ１からＡｎ方向に向けて開始点の位置を１段階移動させることになり、第２の領域６２においては、Ｂ１からＢｎ方向に向けて開始点の位置を１段階移動させることになる。
【００３９】
その後、ＯＣＴ装置１０は、再度、Ｓ１０４の処理に戻り、上記同様に各領域に対する走査処理を実施する。これにより、両領域に対する開始点の位置を領域中心Ｅに向かって段階的に変更させながら走査領域４１全域に対する走査処理が実施される。
【００４０】
以上説明したように本実施形態においては、走査領域４１を２個の領域に分割し、各走査タイミング毎に、当該分割した領域各々に対して所定時間内（眼が残像として捉える時間内）に測定光５１を１次走査させる。ここで、この走査処理においては、各走査タイミングに対応して実施する１次走査の開始点全てのＹ方向に沿った座標の平均を、領域中心Ｅに一致させる。
【００４１】
これにより、被験者の視線を安定させた状態（サッケード等による眼球の運動を抑制した状態）で眼底の断層像を取得できることになる。
【００４２】
（実施形態２）
次に、実施形態２について説明する。実施形態１においては、走査領域４１を２個の領域に分割する場合を例に挙げて説明したが、これに限られず、走査領域４１を４以上の偶数個の領域に分割しても上記同様の処理を行なうことができる。
【００４３】
そこで、実施形態２においては、走査領域４１を４以上の偶数個の領域に分割する場合の一例として、走査領域４１を４つに分割する場合について説明する。
【００４４】
ここで、図４を用いて、ＸＹスキャナ１３により測定光５１を２次元方向へ走査させる際の処理の概要について説明する。
【００４５】
実施形態２においては、走査領域４１をＹ方向に沿って４つに分ける。これにより、走査領域は、Ｙ方向に沿って等間隔に分割した第１の領域６３と、第２の領域６４と、第３の領域６５と、第４の領域６６とに分けられる。
【００４６】
ここで、まず、分割された領域各々に対して１次走査（Ｂスキャン）の開始点を設定する。この場合、Ａ１、Ｂ１、Ｃ１、Ｄ１を開始点として設定する。より具体的には、隣り合う２つの領域をペアとして関連付け、当該ペアとなった領域間の境界からＹ方向に沿って最も遠い位置にある走査ラインを領域各々から開始点として選択し、その位置を１次走査の開始位置として設定する。そして、当該設定した４つの開始点全てからの１次走査を１セットとして走査処理を実施する。
【００４７】
その後、各走査タイミング毎に各領域における開始点を変更しながら、全走査領域４１に対して測定光５１を走査させる。すなわち、ペアとなる領域各々に対して設定した開始点を段階的に領域間の境界に向けて互いに近付くようにそれぞれ変更して設定する。より具体的には、最初の走査タイミングにおいて、Ａ１、Ｂ１、Ｃ１、Ｄ１を開始点とした１次走査を実施し、次の走査タイミングにおいて、Ａ２、Ｂ２、Ｃ２、Ｄ２を開始点とした１次走査を実施する。それ以降のタイミングにおいても上記同様に開始点を変更して設定し、最後の走査タイミングにおいて、Ａｎ、Ｂｎ、Ｃｎ、Ｄｎを開始点とした１次走査を実施する。これにより、眼底に対して測定光５１を２次元的に走査させることができる。
【００４８】
このように実施形態２においても、実施形態１と同様に、各走査タイミングで実行される１次走査の開始点におけるＹ方向に沿った座標の平均は、全走査領域４１におけるＹ方向に沿った座標の中心位置（領域中心Ｅ）に一致する。
【００４９】
なお、実施形態２に係わるＯＣＴ装置１０の動作は、詳細な動作については実施形態１の動作と相違するものの、全体的な動作（領域分割、開始点の設定及び変更）は、実施形態１と同様の流れで実施されるため、ここでは、その説明については省略する。
【００５０】
以上説明したように実施形態２によれば、実施形態１の構成よりも、Ｙ方向への移動が少なく、また、輝線がより分散される。そのため、眼球の運動を抑制した状態で眼底の断層像を取得できることになる。
【００５１】
以上が本発明の代表的な実施形態の一例であるが、本発明は、上記及び図面に示す実施形態に限定することなく、その要旨を変更しない範囲内で適宜変形して実施できるものである。
【００５２】
例えば、実施形態１及び２においては、走査領域４１を偶数個の領域に分割し、その分割した領域に対して開始点を設定することにより走査処理を行なう場合を例に挙げて説明したが、これに限られない。本実施形態は、各走査タイミングで実行される１次走査の開始点におけるＹ方向に沿った座標の平均が、全走査領域４１におけるＹ方向に沿った座標の中心位置（領域中心Ｅ）に一致すれば良く、必ずしも領域分割を行なう必要はない。
【００５３】
また、実施形態１及び２においては、分割した各領域に対して測定光５１を１ライン毎に走査させる場合を例に挙げて説明したが、これに限られず、測定光５１を複数ライン毎に走査させるようにしても良い。この場合、測定光５１の走査を分散させることにより得られる効果は多少減るが、Ｙ方向への走査の移動が減るため、全ての走査が終わるまでに要する時間を短縮させられる。
【図１】
0005523193.tif 000002
【図２】
0005523193.tif 000003
【図３】
0005523193.tif 000004
【図４】
0005523193.tif 000005